【手続補正書】
【提出日】平成17年12月9日(2005.12.9)
【手続補正１】
【補正対象書類名】明細書
【補正対象項目名】特許請求の範囲
【補正方法】変更
【補正の内容】
【特許請求の範囲】
【請求項１】
複数の吐出口が列状に配置され、前記吐出口から記録媒体に光硬化型のインクを吐出する記録ヘッドと、
前記記録ヘッドから吐出された前記インクに対して光を照射し、前記インクを硬化させる複数の光源と、
前記光源の点灯を制御する制御部と、
記録ヘッド及び前記光源を前記記録媒体に対して前記吐出口の列方向に直交する方向に往復走査する走査機構とが備えられ、
前記複数の光源は、前記列方向に対して略平行に並ぶように複数列、配置され、
前記制御部は、前記走査機構の往動時と復動時とでは、点灯させる列の前記光源を異ならせることを特徴とするインクジェット記録装置。
【請求項２】
請求項１記載のインクジェット記録装置において、
前記制御部は、前記走査機構の往動時に点灯させる第１の光源及び前記記録ヘッドの間隔と、前記走査機構の復動時に点灯させる第２の光源及び前記記録ヘッドの間隔とが同一となるように前記光源の点灯を制御することを特徴とするインクジェット記録装置。
【請求項３】
複数の吐出口が列状に配置され、前記吐出口から記録媒体に光硬化型のインクを吐出する記録ヘッドと、
前記記録ヘッドから吐出された前記インクに対して光を照射し、前記インクを硬化させる複数の光源と、
前記光源の点灯を制御する制御部と、
前記記録媒体及び前記光源のうち、少なくとも一方を前記吐出口の列方向に直交する方向に走査する走査機構とが備えられ、
前記複数の光源は、前記列方向に対して略平行に並ぶように複数列、配置され、
前記制御部は、前記記録媒体の種類に応じて、点灯させる列の前記光源を決定することを特徴とするインクジェット記録装置。
【請求項４】
請求項３記載のインクジェット記録装置において、
前記記録媒体の種類に応じて、点灯させる列の前記光源を記憶する記憶部と、
前記記録媒体の種類を入力する入力部とが備えられ、
前記制御部は、前記入力部からの入力結果及び前記記憶部の記憶内容に基づいて、点灯させる列の前記光源を決定することを特徴とするインクジェット記録装置。
【請求項５】
請求項３記載のインクジェット記録装置において、
前記記録媒体の種類に応じて、点灯させる列の前記光源を記憶する記憶部と、
前記記録媒体の種類を検出する検出部とが備えられ、
前記制御部は、前記検出部の検出結果及び前記記憶部の記憶内容に基づいて、点灯させる列の前記光源を決定することを特徴とするインクジェット記録装置。
【請求項６】
請求項３〜５のいずれか一項に記載のインクジェット記録装置において、
前記走査機構は、前記記録ヘッド及び前記光源を走査するシリアルプリント方式であり、
前記制御部は、前記記録ヘッドの往動時と復動時とでは、点灯させる列の前記光源を異ならせることを特徴とするインクジェット記録装置。
【請求項７】
請求項３〜５のいずれか一項に記載のインクジェット記録装置において、
前記走査機構は、前記記録媒体を走査するラインプリント方式であり、
前記記録ヘッドとしてラインヘッドが用いられることを特徴とするインクジェット記録装置。
【請求項８】
請求項１〜７のいずれか一項に記載のインクジェット記録装置において、
前記インクが複数種類用いられる場合には、
前記制御部は前記インクの種類に応じて、点灯させる列の前記光源を決定することを特徴とするインクジェット記録装置。
【請求項９】
請求項１〜８のいずれか一項に記載のインクジェット記録媒体において、
前記光源は、紫外線を照射して前記インクを硬化させることを特徴とするインクジェット記録装置。
【請求項１０】
請求項１〜９のいずれか一項に記載のインクジェット記録装置において、
前記インクとしてカチオン重合系のインクが用いられることを特徴とするインクジェット記録装置。
【手続補正２】
【補正対象書類名】明細書
【補正対象項目名】０００８
【補正方法】変更
【補正の内容】
【０００８】
【課題を解決するための手段】
請求項１記載の発明のインクジェット記録装置は、
複数の吐出口が列状に配置され、前記吐出口から記録媒体に光硬化型のインクを吐出する記録ヘッドと、
前記記録ヘッドから吐出された前記インクに対して光を照射し、前記インクを硬化させる複数の光源と、
前記光源の点灯を制御する制御部と、
記録ヘッド及び前記光源を前記記録媒体に対して前記吐出口の列方向に直交する方向に往復走査する走査機構とが備えられ、
前記複数の光源は、前記列方向に対して略平行に並ぶように複数列、配置され、
前記制御部は、前記走査機構の往動時と復動時とでは、点灯させる列の前記光源を異ならせることを特徴としている。
請求項２記載の発明は、請求項１記載のインクジェット記録装置において、
前記制御部は、前記走査機構の往動時に点灯させる第１の光源及び前記記録ヘッドの間隔と、前記走査機構の復動時に点灯させる第２の光源及び前記記録ヘッドの間隔とが同一となるように前記光源の点灯を制御することを特徴としている。
請求項３記載の発明のインクジェット記録装置は、
複数の吐出口が列状に配置され、前記吐出口から記録媒体に光硬化型のインクを吐出する記録ヘッドと、
前記記録ヘッドから吐出された前記インクに対して光を照射し、前記インクを硬化させる複数の光源と、
前記光源の点灯を制御する制御部と、
前記記録媒体及び前記光源のうち、少なくとも一方を前記吐出口の列方向に直交する方向に走査する走査機構とが備えられ、
前記複数の光源は、前記列方向に対して略平行に並ぶように複数列、配置され、
前記制御部は、前記記録媒体の種類に応じて、点灯させる列の前記光源を決定することを特徴としている。
【手続補正３】
【補正対象書類名】明細書
【補正対象項目名】０００９
【補正方法】変更
【補正の内容】
【０００９】
請求項１〜３のいずれかに記載の発明によれば、複数の光源が、吐出口の列方向に対して略平行に並ぶように複数列、配置されているために、制御部が記録媒体の種類に応じて、点灯させる列の光源を決定すると、インクの着弾後に光が照射されるタイミングが記録媒体の種類毎に異ならせることが可能となる。このように、記録媒体の種類に応じてインク着弾から光源の照射までの時間を可変にすることで、記録媒体の種類が異なっていたとしても、硬化後のドット径を均一化して、画質を均一化することができる。
【手続補正４】
【補正対象書類名】明細書
【補正対象項目名】００１０
【補正方法】変更
【補正の内容】
【００１０】
請求項４記載の発明は、請求項３記載のインクジェット記録装置において、
前記記録媒体の種類に応じて、点灯させる列の前記光源を記憶する記憶部と、
前記記録媒体の種類を入力する入力部とが備えられ、
前記制御部は、前記入力部からの入力結果及び前記記憶部の記憶内容に基づいて、点灯させる列の前記光源を決定することを特徴としている。
【手続補正５】
【補正対象書類名】明細書
【補正対象項目名】００１１
【補正方法】変更
【補正の内容】
【００１１】
請求項４記載の発明によれば、制御部が、入力部からの入力結果及び記憶部の記憶内容に基づいて、点灯させる列の光源を決定するので、記録媒体の種類を容易に認識することができ、効率的な画像形成が可能となる。
【手続補正６】
【補正対象書類名】明細書
【補正対象項目名】００１２
【補正方法】変更
【補正の内容】
【００１２】
請求項５記載の発明は、請求項３記載のインクジェット記録装置において、
前記記録媒体の種類に応じて、点灯させる列の前記光源を記憶する記憶部と、
前記記録媒体の種類を検出する検出部とが備えられ、
前記制御部は、前記検出部の検出結果及び前記記憶部の記憶内容に基づいて、点灯させる列の前記光源を決定することを特徴としている。
【手続補正７】
【補正対象書類名】明細書
【補正対象項目名】００１３
【補正方法】変更
【補正の内容】
【００１３】
請求項５記載の発明によれば、制御部が、検出部の検出結果及び記憶部の記憶内容に基づいて、点灯させる列の前記光源を決定するので、作業者の手を煩わせることなく、記録媒体に応じた光源を点灯することが可能となる。
【手続補正８】
【補正対象書類名】明細書
【補正対象項目名】００１４
【補正方法】変更
【補正の内容】
【００１４】
請求項６記載の発明は、請求項３〜５のいずれか一項に記載のインクジェット記録装置において、
前記走査機構は、前記記録ヘッド及び前記光源を走査するシリアルプリント方式であり、
前記制御部は、前記記録ヘッドの往動時と復動時とでは点灯させる列の前記光源を異ならせることを特徴としている。
【手続補正９】
【補正対象書類名】明細書
【補正対象項目名】００１５
【補正方法】変更
【補正の内容】
【００１５】
請求項６記載の発明によれば、走査機構が記録ヘッド及び光源を走査するシリアルプリント方式である場合には、制御部が記録ヘッドの往動時と復動時とでは点灯させる列の光源を異ならせるので、往動時と復動時とにおいても着弾インクに対して好適なタイミングで光を照射することができる。したがって、シリアル方式のインクジェット記録装置であっても往動時及び復動時のドット径を均一にすることができる。
【手続補正１０】
【補正対象書類名】明細書
【補正対象項目名】００１６
【補正方法】変更
【補正の内容】
【００１６】
請求項７記載の発明は、請求項３〜５のいずれか一項に記載のインクジェット記録装置において、
前記走査機構は、前記記録媒体を走査するラインプリント方式であり、
前記記録ヘッドとしてラインヘッドが用いられることを特徴としている。
【手続補正１１】
【補正対象書類名】明細書
【補正対象項目名】００１７
【補正方法】変更
【補正の内容】
【００１７】
請求項７記載の発明によれば、走査機構が記録媒体を走査するラインプリント方式であり、記録ヘッドとしてラインヘッドが用いられているので、ラインヘッド方式のインクジェット記録装置においても、記録媒体の種類が異なっていてもドット径を均一化することができる。
【手続補正１２】
【補正対象書類名】明細書
【補正対象項目名】００１８
【補正方法】変更
【補正の内容】
【００１８】
請求項８記載の発明は、請求項１〜７のいずれか一項に記載のインクジェット記録装置において、
前記インクが複数種類用いられる場合には、
前記制御部は前記インクの種類に応じて、点灯させる列の前記光源を決定することを特徴としている。
【手続補正１３】
【補正対象書類名】明細書
【補正対象項目名】００１９
【補正方法】変更
【補正の内容】
【００１９】
請求項８記載の発明によれば、制御部がインクの種類に応じて、点灯させる列の前記光源を決定するので、インクの種類によって異なるドット径の不均一までも、改善することができ、より画質の均一化を向上させることができる。
【手続補正１４】
【補正対象書類名】明細書
【補正対象項目名】００２０
【補正方法】変更
【補正の内容】
【００２０】
請求項９記載の発明は、請求項１〜８のいずれか一項に記載のインクジェット記録媒体において、
前記光源は、紫外線を照射して前記インクを硬化させることを特徴としている。
【手続補正１５】
【補正対象書類名】明細書
【補正対象項目名】００２１
【補正方法】変更
【補正の内容】
【００２１】
請求項９記載の発明によれば、インクを硬化させるために紫外線を照射する光源が用いられるので、他の光を照射する光源を用いたものよりも、硬化性を高め、さらにコストを抑えることができる。
【手続補正１６】
【補正対象書類名】明細書
【補正対象項目名】００２２
【補正方法】変更
【補正の内容】
【００２２】
請求項１０記載の発明は、請求項１〜９のいずれか一項に記載のインクジェット記録装置において、
前記インクとしてカチオン重合系のインクが用いられることを特徴としている。
【手続補正１７】
【補正対象書類名】明細書
【補正対象項目名】００２３
【補正方法】変更
【補正の内容】
【００２３】
請求項１０記載の発明によれば、カチオン重合系のインクが吐出されたとしても、記録媒体の種類によって画質が不均一になることを防止できる。
【手続補正１８】
【補正対象書類名】明細書
【補正対象項目名】００３７
【補正方法】変更
【補正の内容】
【００３７】
【発明の効果】
請求項１〜３いずれかに記載の発明によれば、複数の光源が、吐出口の列方向に対して略平行に並ぶように複数列配置されているために、制御部が記録媒体の種類に応じて、点灯させる列の光源を決定すると、インクの着弾後に光が照射されるタイミングが記録媒体の種類毎に異ならせることが可能となる。このように、記録媒体の種類に応じてインク着弾から光源の照射までの時間を可変にすることで、記録媒体の種類が異なっていたとしても、硬化後のドット径を均一化して、画質を均一化することができる。
【手続補正１９】
【補正対象書類名】明細書
【補正対象項目名】００３８
【補正方法】変更
【補正の内容】
【００３８】
請求項４記載の発明によれば、記録媒体の種類を容易に認識することができ、効率的な画像形成が可能となる。
請求項５記載の発明によれば、作業者の手を煩わせることなく、記録媒体に応じた光源を点灯することが可能となる。
請求項６記載の発明によれば、インクの種類によって異なるドット径の不均一までも、改善することができ、より画質の均一化を向上させることができる。
【手続補正２０】
【補正対象書類名】明細書
【補正対象項目名】００３９
【補正方法】変更
【補正の内容】
【００３９】
請求項７記載の発明によれば、シリアル方式のインクジェット記録装置である場合には、制御部が記録ヘッドの往動時と復動時とでは点灯させる列の光源を異ならせるので、往動時と復動時とにおいても着弾インクに対して好適なタイミングで光を照射することができる。したがって、シリアル方式のインクジェット記録装置であっても往動時及び復動時のドット径を均一にすることができる。
請求項８記載の発明によれば、ラインヘッド方式のインクジェット記録装置においても、記録媒体の種類が異なっていてもドット径を均一化することができる。
請求項９記載の発明によれば、インクを硬化させるために紫外線を照射する光源が用いられるので、他の光を照射する光源を用いたものよりも、硬化性を高め、さらにコストを抑えることができる。
請求項１０記載の発明によれば、カチオン重合系のインクが吐出されたとしても、記録媒体の種類によって画質が不均一になることを防止できる。